【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
第１の粘度を有するタンパク質成分と、第２の粘度を有するアルデヒド成分とを含み、該アルデヒド成分は増粘剤をさらに含む、接着剤組成物。
【請求項２】
前記タンパク質成分は哺乳動物供給源に由来する、請求項１に記載の組成物。
【請求項３】
前記哺乳動物供給源は、ヒト、ウシ、バイソン、ヒツジ、およびブタからなる群より選択される、請求項２に記載の組成物。
【請求項４】
前記タンパク質成分は組み換え体供給源に由来するか、または血清アルブミンであるかのうちの１つである、請求項１に記載の組成物。
【請求項５】
前記組成物は約１〜２６％のタンパク質濃度を含む、請求項１に記載の組成物。
【請求項６】
前記タンパク質成分は血清アルブミンである、請求項５に記載の組成物。
【請求項７】
前記タンパク質成分は、１５％を超えるタンパク質モノマーまたは約１〜７５％のタンパク質濃度のうちの１つを含む、請求項１、５または６に記載の組成物。
【請求項８】
前記アルデヒド成分は、ジアルデヒドまたはポリアルデヒドである、請求項１に記載の組成物。
【請求項９】
前記ジアルデヒドはグルタルアルデヒドである、請求項８に記載の組成物。
【請求項１０】
前記タンパク質成分は血清アルブミンであり、前記アルデヒド成分はグルタルアルデヒドである、請求項１に記載の組成物。
【請求項１１】
前記増粘剤は、前記アルデヒド成分の第２の粘度を少なくとも約５％増加させるか；デキストラン、カルボキシメチルセルロース、ポリエチレングリコール、リポソーム類、プロリポソーム類、グリセロール、デンプン、炭水化物類、ポビドン、ポリエチレンオキシド、およびポリビニルアルコールからなる群より選択されるか；デキストランであるか；前記組成物の少なくとも約０．５％を構成するか；前記組成物のゲル化時間を変更するか、のうちの少なくとも１つである、請求項１に記載の組成物。
【請求項１２】
前記組成物は、放射線不透過物質をさらに含む、請求項１に記載の組成物。
【請求項１３】
前記放射線不透過物質は、酸化ビスマス（Ｂｉ２Ｏ３）、酸化亜鉛（ＺｎＯ）、硫酸バリウム（ＢａＳＯ４）、酸化ランタン（Ｌａ２Ｏ３）、酸化セリウム（ＣｅＯ２）、酸化テルビウム、酸化イッテルビウム、酸化ネオジム、ジルコニア（ＺｒＯ２）、ストロンチア（ＳｒＯ）、酸化スズ（ＳｎＯ２）、放射線不透過ガラス、およびケイ酸塩ガラスからなる群より選択される、請求項１２に記載の組成物。
【請求項１４】
前記タンパク質成分と前記アルデヒド成分とが６：１から１：６までの割合で、必要に応じて１：１の割合で存在する、請求項５または６に記載の組成物。
【請求項１５】
前記血清アルブミン成分はブタに由来する、請求項６に記載の組成物。
【請求項１６】
前記アルデヒド成分はグルタルアルデヒドである、請求項６に記載の組成物。
【請求項１７】
前記アルデヒド成分の第２の粘度は前記血清アルブミン成分の第１の粘度に近似する、請求項６に記載の組成物。
【手続補正２】
【補正対象書類名】明細書
【補正対象項目名】００１６
【補正方法】変更
【補正の内容】
【００１６】
参照による援用
本明細書において言及される全ての広報および特許出願は、個々の広報または特許出願が具体的かつ個別に参考として援用されることが示されている場合と同様に、参考として本明細書で援用される。
本発明の好ましい実施形態では、例えば以下の接着剤組成物などが提供される：
（項目１）
第１の粘度を有するタンパク質成分と、第２の粘度を有するアルデヒド成分とを含み、該アルデヒド成分は増粘剤をさらに含む、接着剤組成物。
（項目２）
前記タンパク質成分は哺乳動物供給源に由来する、項目１に記載の組成物。
（項目３）
前記哺乳動物供給源は、ヒト、ウシ、バイソン、ヒツジ、およびブタからなる群より選択される、項目２に記載の組成物。
（項目４）
前記タンパク質成分は組み換え体供給源に由来する、項目１に記載の組成物。
（項目５）
前記タンパク質成分は血清アルブミンである、項目１に記載の組成物。
（項目６）
前記タンパク質成分は、１５％を超えるタンパク質モノマーを含む、項目１に記載の組成物。
（項目７）
前記アルデヒド成分は、ジアルデヒドまたはポリアルデヒドである、項目１に記載の組成物。
（項目８）
前記ジアルデヒドはグルタルアルデヒドである、項目７に記載の組成物。
（項目９）
前記タンパク質成分は血清アルブミンであり、前記アルデヒド成分はグルタルアルデヒドである、項目１に記載の組成物。
（項目１０）
前記増粘剤は、前記アルデヒド成分の第２の粘度を少なくとも約５％増加させる、項目１に記載の組成物。
（項目１１）
前記増粘剤は、デキストラン、カルボキシメチルセルロース、ポリエチレングリコール、リポソーム類、プロリポソーム類、グリセロール、デンプン、炭水化物類、ポビドン、ポリエチレンオキシド、およびポリビニルアルコールからなる群より選択される、項目１に記載の組成物。
（項目１２）
前記増粘剤はデキストランである、項目１に記載の組成物。
（項目１３）
前記増粘剤は、前記組成物の少なくとも約０．５％を構成する、項目１に記載の組成物。
（項目１４）
前記増粘剤は、前記組成物のゲル化時間を変更する、項目１に記載の組成物。
（項目１５）
前記組成物は、放射線不透過物質をさらに含む、項目１に記載の組成物。
（項目１６）
前記放射線不透過物質は、酸化ビスマス（Ｂｉ２Ｏ３）、酸化亜鉛（ＺｎＯ）、硫酸バリウム（ＢａＳＯ４）、酸化ランタン（Ｌａ２Ｏ３）、酸化セリウム（ＣｅＯ２）、酸化テルビウム、酸化イッテルビウム、酸化ネオジム、ジルコニア（ＺｒＯ２）、ストロンチア（ＳｒＯ）、酸化スズ（ＳｎＯ２）、放射線不透過ガラス、およびケイ酸塩ガラスからなる群より選択される、項目１５に記載の組成物。
（項目１７）
第１の粘度を有するタンパク質成分と、第２の粘度を有するアルデヒド成分とを含む接着剤組成物であって、タンパク質濃度約１〜２６％を有する、接着剤組成物。
（項目１８）
前記タンパク質成分は、１５％を超えるタンパク質モノマーを含む、項目１７に記載の組成物。
（項目１９）
前記タンパク質成分は、タンパク質濃度約１〜７５％を有する、項目１７に記載の組成物。
（項目２０）
前記組成物は、タンパク質濃度１〜７５％を有する、項目１７に記載の組成物。
（項目２１）
前記タンパク質成分と前記アルデヒド成分とが６：１から１：６までの割合で存在する、項目１７に記載の組成物。
（項目２２）
前記タンパク質成分と前記アルデヒド成分とが１：１の割合で存在する、項目１７に記載の組成物。
（項目２３）
第１の粘度を有する血清アルブミン成分と、第２の粘度を有するアルデヒド成分との混合物を含む接着剤組成物であって、約１〜２６％の該血清アルブミンの濃度を有する接着剤組成物。
（項目２４）
前記タンパク質成分は、１５％を超えるタンパク質モノマーを含む、項目２３に記載の組成物。
（項目２５）
前記血清アルブミン成分はブタに由来する、項目２３に記載の組成物。
（項目２６）
前記アルデヒド成分はグルタルアルデヒドである、項目２３に記載の組成物。
（項目２７）
前記アルデヒド組成物は増粘剤をさらに含む、項目２３に記載の組成物。
（項目２８）
前記増粘剤は、デキストラン、ポリエチレングリコール、またはカルボキシメチルセルロースである、項目２７に記載の組成物。
（項目２９）
前記アルデヒド成分の第２の粘度は、前記血清アルブミン成分の第１の粘度に近似する、項目２３に記載の組成物。
（項目３０）
前記血清アルブミン成分は、血清アルブミン濃度約１〜７５％を有する、項目２３に記載の組成物。
（項目３１）
前記血清アルブミン成分および前記アルデヒド成分は、６：１から１：６の割合で存在する、項目２３に記載の組成物。
（項目３２）
組織の接着を引き起こすための方法であって、
（ｉ）接着剤組成物を得るために、第１の粘度を有するタンパク質成分を含む第１の組成物を第２の粘度を有するアルデヒド成分を含む第２の組成物と混合し、増粘剤を用いて該第２の組成物の第２の粘度を調整する工程と、
（ｉｉ）該接着剤組成物を組織に導入する工程と、
（ｉｉｉ）該接着剤組成物を該組織に接着させる工程と、
を含む、方法。
（項目３３）
前記タンパク質成分は、１５％を超えるタンパク質モノマーを含む、項目３２に記載の組成物。
（項目３４）
前記タンパク質成分はブタに由来する、項目３２に記載の方法。
（項目３５）
前記タンパク質成分は血清アルブミンである、項目３２に記載の方法。
（項目３６）
前記アルデヒド成分は、ジアルデヒドまたはポリアルデヒドである、項目３２に記載の方法。
（項目３７）
前記アルデヒド成分はグルタルアルデヒドである、項目３２に記載の方法。
（項目３８）
前記タンパク質成分は血清アルブミンであり、前記アルデヒド成分はグルタルアルデヒドである、項目３２に記載の方法。
（項目３９）
前記第１の粘度は前記第２の粘度に近似する、項目３２に記載の方法。
（項目４０）
前記第１の粘度は前記第２の粘度に匹敵する、項目３２に記載の方法。
（項目４１）
前記増粘剤は、デキストラン、カルボキシメチルセルロース、ポリエチレングリコール、リポソーム類、プロリポソーム類、グリセロール、デンプン、炭水化物類、ポビドン、ポリエチレンオキシド、およびポリビニルアルコールからなる群より選択される、項目３２に記載の方法。
（項目４２）
前記増粘剤はデキストランである、項目３２に記載の方法。
（項目４３）
前記増粘剤は、前記接着剤組成物の少なくとも約０．５％を構成する、項目３２に記載の方法。
（項目４４）
前記増粘剤は、前記接着剤組成物のゲル化時間を変更する、項目３２に記載の方法。
（項目４５）
前記タンパク質成分は、前記組成物の約５〜７５％である、項目３２に記載の方法。
（項目４６）
前記タンパク質成分および前記アルデヒド成分は、前記最終組成物中に６：１から１：６の割合で存在する、項目３２に記載の方法。
（項目４７）
前記組成物は、放射線不透過物質をさらに含む、項目３２に記載の方法。
（項目４８）
前記放射線不透過物質は、酸化ビスマス（Ｂｉ２Ｏ３）、酸化亜鉛（ＺｎＯ）、硫酸バリウム（ＢａＳＯ４）、酸化ランタン（Ｌａ２Ｏ３）、酸化セリウム（ＣｅＯ２）、酸化テルビウム、酸化イッテルビウム、酸化ネオジム、ジルコニア（ＺｒＯ２）、ストロンチア（ＳｒＯ）、酸化スズ（ＳｎＯ２）、放射線不透過ガラス、およびケイ酸塩ガラスからなる群より選択される、項目４７に記載の組成物。
（項目４９）
人体内のある位置に印をつけるための方法であって、
（ｉ）第１の粘度を有するタンパク質を含む第１の成分と、第２の粘度を有するアルデヒドを含む第２の成分とを提供する工程と、
（ｉｉ）該第１の成分を該第２の成分と混合して、標的組成物を得る工程と、
（ｉｉｉ）該標的組成物をある位置に導入する工程と、
（ｉｖ）該標的組成物を用いて、該位置の部位に印をつける工程と、
を含む方法。
（項目５０）
前記標的組成物は触知可能な物質である、項目４９に記載の方法。
（項目５１）
前記タンパク質はブタ由来の血清アルブミンである、項目４９に記載の方法。
（項目５２）
前記アルデヒドはグルタルアルデヒドである、項目４９に記載の方法。
（項目５３）
前記第１の成分の第１の粘度または前記第２の成分の第２の粘度は、前記混合工程の前に変更される、項目４９に記載の方法。
（項目５４）
接着剤組成物を作製する方法であって、
（ｉ）第１の粘度を有する第１のタンパク質成分を提供する工程と、
（ｉｉ）第２の粘度を有する第２のアルデヒド成分を提供する工程と、
（ｉｉｉ）該第１の粘度、該第２の粘度、あるいはその両方を調整する工程と、
（ｉｖ）該第１の成分を該第２の成分と混合して、接着剤組成物を得る工程と、
を含む、方法。
（項目５５）
前記タンパク質成分は、１５％を超えるタンパク質モノマーを含む、項目５４に記載の組成物。
（項目５６）
前記タンパク質成分は、ブタ由来の血清アルブミンである、項目５４に記載の方法。
（項目５７）
前記アルデヒド成分はグルタルアルデヒドである、項目５４に記載の方法。
（項目５８）
前記第１の成分の第１の粘度は、前記第２の成分の前記第２の粘度に近似する、項目５４に記載の方法。